(57)【要約】  本発明は、ビデオ／写真機器のための支持三脚（１）に関する。三脚（１）は、ビデオ／写真機器の一部のための係合手段（９）が設けられたクロスピース（２）と、三脚（１）を開閉するようにクロスピース（２）に対して旋回可能な複数の支持脚部（４）と、を備える。各脚部（４）は、脚部（４）が互いにほぼ平行に配置された閉状態（Ｗ）と、脚部がクロスピース（２）に対して離されている少なくとも１つの動作状態（Ｋ，Ｋ１）との間で脚部（４）が旋回可能であるように、クロスピース（２）に設けられた対応するヒンジ要素（３）に連結された第１の脚部部分（４１）と、三脚（１）の支持面上に支持されるように意図されており、第１の脚部部分（４１）に平行であり、第１の脚部部分（４１）に接続された第２の脚部部分（４２）と、を備える。第２の脚部部分（４２）は、主に長手方向軸（Ｙ）に沿って延在する部材（４０）を有する。第２の脚部部分（４２）は、クロスピース（２）に対して脚部が旋回可能であるように、クロスピース（２）から脚部を解放して、第１の脚部部分（４１）に対して移動されるように、長手方向軸（Ｙ）に沿って滑動可能である。【選択図】図１
2021532410.tif 000002
【特許請求の範囲】
【請求項１】
ビデオ／写真機器のための支持三脚（１）であって、
前記ビデオ／写真機器の一部のための係合手段（９）が設けられたクロスピース（２）と、
前記三脚（１）を開閉するように前記クロスピース（２）に対して旋回可能な複数の支持脚部（４）と、を備え、
前記脚部（４）の各々は、
・  第１の脚部部分（４１）であって、前記脚部（４）が互いにほぼ平行に配置された閉状態（Ｗ）と、前記脚部が前記クロスピース（２）に対して離されている少なくとも１つの動作状態（Ｋ，Ｋ１）との間で前記脚部（４）が旋回可能であるように、前記クロスピース（２）に設けられた対応するヒンジ要素（３）に連結された第１の脚部部分（４１）と、
・  第２の脚部部分（４２）であって、前記三脚（１）の支持面上に支持されるように意図されており、前記第１の脚部部分（４１）に平行であり、前記第１の脚部部分（４１）に接続された第２の脚部部分（４２）と、
を備え、
前記第２の脚部部分（４２）は、主に長手方向軸（Ｙ）に沿って延在する部材（４０）を有し、
前記第２の脚部部分（４２）は、前記クロスピース（２）に対して前記脚部が旋回可能であるように、前記クロスピース（２）から前記脚部を解放して、前記第１の脚部部分（４１）に対して移動されるように、前記長手方向軸（Ｙ）に沿って滑動可能であることを特徴とする、
三脚。
【請求項２】
前記第２の脚部部分（４２）および前記第１の脚部部分（４１）は、同軸である、請求項１に記載の三脚。
【請求項３】
前記第２の脚部部分（４２）は、前記閉状態（Ｗ）から離れるように前記脚部が旋回可能であるように、前記クロスピース（２）から前記脚部を解放して、前記第１の脚部部分（４１）に対して移動されるように、前記長手方向軸（Ｙ）に沿って滑動可能である、請求項１または２に記載の三脚。
【請求項４】
前記クロスピースは、前記閉状態（Ｗ）に対して異なる開口角度（α，α１）を有する前記脚部（４）の第１の動作状態（Ｋ）および第２の動作状態（Ｋ１）を画定する前記脚部（４）の回転経路について互いに周方向に追従する、少なくとも第１の位置決め要素（２０）および第２の位置決め要素（２１）を備える、請求項１〜３のいずれか１項に記載の三脚。
【請求項５】
前記長手方向軸（Ｙ）に沿って共に移動されるように、前記第２の脚部部分（４２）で受容され、前記第２の脚部部分（４２）に固定されるブロック装置（７）を備え、前記ブロック装置（７）は、前記脚部（４）を少なくとも前記第１の動作状態（Ｋ）にブロックするように意図されている、請求項１〜４のいずれか１項に記載の三脚。
【請求項６】
前記ブロック装置（７）は、前記脚部（４）の長手方向軸Ｙに沿って延在するブロックピン（７１）を備え、前記ブロックピン（７１）は、前記第２の脚部部分（４２）に固定される第１の部分（７２）と、反対側の自由端部（７３）と、を有し、前記自由端部（７３）は、前記クロスピース（２）と相互作用して前記脚部（４）をブロックするように意図されている、請求項５に記載の三脚。
【請求項７】
前記第１の位置決め要素（２０）は、前記第１の動作状態（Ｋ）において、前記ブロックピン（７１）にほぼ平行に配置される第１の当接壁（２０Ａ）を備え、前記第１の当接壁（２０Ａ）および前記ブロックピン（７１）は、前記第１の動作状態（Ｋ）において、前記長手方向軸（Ｙ）にほぼ平行に配置される、請求項６に記載の三脚。
【請求項８】
前記第１の脚部部分（４１）は、前記三脚（１）を、前記第１の動作状態（Ｋ）とは異なる第２の動作状態（Ｋ１）でブロックするように配置された第２のブロック装置（１６Ｂ）を備える、請求項５〜７のいずれか１項に記載の三脚。
【請求項９】
前記第２の位置決め要素（２１）は、前記第２の動作状態（Ｋ１）において、前記第２のブロック装置（１６Ｂ）にほぼ平行に配置された第２の当接壁（２１Ａ）を備え、前記第２の当接壁（２１Ａ）および前記第２のブロック装置（１６Ｂ）は、前記第２の動作状態（Ｋ１）において、前記長手方向軸（Ｙ）にほぼ平行に配置される、請求項８に記載の三脚。
【請求項１０】
前記ブロック装置（７）は、前記ブロックピン（７１）を前記クロスピース（２）に押し付けるように構成された押圧装置（７４）をさらに備える、請求項５〜９のいずれか１項に記載の三脚。
【請求項１１】
前記第１の脚部部分（４１）は、前記ブロック装置（７）のブロックピン（７１）を滑動可能に受容する長手方向空洞（１３）を画定するように、中空である、請求項５〜１０のいずれか１項に記載の三脚。
【請求項１２】
前記第１の脚部部分（４１）に対して、前記長手方向軸（Ｙ）に沿って前記第２の脚部部分（４２）の位置を調整するための調整装置（６）をさらに備え、前記調整装置（６）は、好ましくは、前記長手方向軸（Ｙ）に沿った並進移動について、前記第２の脚部部分（４２）に固定的に接合される、請求項１〜１１のいずれか１項に記載の三脚。
【請求項１３】
前記調整装置（６）、前記ブロック装置（７）および前記第２の脚部部分（４２）は、前記長手方向軸（Ｙ）に沿った並進移動について、固定的に接合される、請求項５〜１１のいずれか１項に従属する請求項１２に記載の三脚。
【請求項１４】
作動装置を備え、前記作動装置は、前記長手方向軸（Ｙ）に沿って、前記第１の脚部部分（４１）に対して前記第２の脚部部分（４２）を移動させて、前記クロスピース（２）に対して前記脚部が旋回可能であるように、前記クロスピース（２）から前記脚部を解放し、前記作動装置は、管状の形状を有し、前記第２の脚部部分（４２）の部材（４０）が、好ましくは前記作動装置を構成する、請求項１〜１３のいずれか１項に記載の三脚。
【発明の詳細な説明】
【技術分野】
【０００１】
本発明は、主請求項の前提部に記載された特徴を有する、非限定的ではあるが特にビデオ／写真機器を支持するように意図された支持三脚に関する。
【背景技術】
【０００２】
写真機器のために支持スタンドを使用することは写真の技術分野で広く知られており、その中でも特に一般的であり、アマチュアおよびプロフェッショナルのレベルで高く評価されているのは、三脚である。
【０００３】
三脚は、典型的には、クロスピースにヒンジで固定された複数の脚部を備える。クロスピースには、ビデオ／写真機器のための係合プレートが取り付けられる。
【０００４】
地面または三脚の支持平面に対してビデオ／写真機器の高さを変更するために、クロスピースに対して脚部の角度を変化させるための構成が設けられる。
【０００５】
同じ出願人名で出願された国際公報第２００５／０６８８９５号には、各支持脚部にスリーブが設けられ、フォーク状部材を介して、スリーブに支持脚部がヒンジで固定される三脚が記載されている。
【０００６】
スリーブの外面には、スリーブ自体の外面から、相互に異なる範囲で突出する２つの歯部が設けられる。
【０００７】
フォーク状部材の基部には、三脚が開位置にあるときにユーザが三脚の外側から利用することができるレバーが設けられる。レバーは、レバーがスリーブの外面、第１の歯部および第２の歯部に当接してそれぞれ三脚を、閉位置、およびクロスピースに対して所定の角度を有するように脚部が離される２つの異なる動作位置を含む、３つの異なる動作位置に配置するように移動可能である。
【０００８】
このような三脚の欠点として、ユーザによって把持されるためのクロスピースの空間的要件に対してレバーが外部に突出することが挙げられる。したがって、誤ってレバーがぶつけられて移動されて、三脚の望ましくない動きや損傷、または破損を引き起こす可能性がある。
【０００９】
さらに、移送中や使用中にレバーが絡まって、三脚の損傷および／または望ましくない動きを引き起こす可能性がある。
【００１０】
このタイプの機構は複雑であるため、三脚の製造は困難であり、その結果、かなりのコストがかかる。
【００１１】
さらに、このタイプの機構は、多数の部材が必要であり、卓上三脚のような小さい寸法を有する三脚に使用するのに適していない。
【発明の概要】
【発明が解決しようとする課題】
【００１２】
本発明によって対処される問題は、引用された従来技術を参照して上述した欠点を克服するように構造的および機能的に構成された、写真機器のための開閉可能な三脚を提供することである。この問題を鑑みて、本発明の目的は、位置決めが容易であると同時に安全である三脚を提供することである。
【００１３】
本発明の別の目的は、使用が容易であると同時に三脚の位置決めを正確に実施することができる調整部が設けられた開閉可能な三脚を提供することである。
【００１４】
本発明の別の目的は、閉位置から動作位置に容易に且つ迅速に移動可能な三脚を提供することである。
【課題を解決するための手段】
【００１５】
添付の特許請求の範囲に従って構築される開閉可能な三脚によって、上述した問題が解決されて上述した目的が達成される。
【００１６】
なお、以下の説明および添付の特許請求の範囲において、「三脚」という用語は、クロスピースが設けられたスタンドを意味することに留意されたい。ここで、クロスピースには複数の脚部が連結されており、脚部の数に特段の制限はなく、３つであってもよく、３つ以外の数であってもよい。
【図面の簡単な説明】
【００１７】
本発明の特徴および利点は、非限定的な一例として添付の図面を参照して記載する好ましい実施形態の詳細な説明からより明らかになるであろう。
【図１】動作状態にある、本発明に従って構築された三脚の正面図である。
【図２】明確さのために一部の構成要素が省略された、図１の三脚の細部を示す断面図である。
【図３】別の動作状態にある、図１の三脚の細部を示す断面図である。
【図３Ａ】図３の三脚の細部の拡大図である。
【図４】閉じた移送状態にある、図１の三脚の正面図である。
【図５】明確さのために一部の構成要素が省略された、図４の三脚の断面図である。
【発明を実施するための形態】
【００１８】
図において、本発明に従って構築された三脚が、参照符号１によって全体として示されている。
【００１９】
三脚１は、複数の追加のヒンジ部分を画定するように形成されたクロスピース２を備える。その各々の領域において、ヒンジピン３のための座部５が設けられる。
【００２０】
三脚１は、複数の脚部４をさらに備える。各脚部は、クロスピース２に対して回転方向矢印Ｆ１の両方向にヒンジ軸Ｘを中心に旋回するように、それぞれのヒンジ部４Ａによって、対応するヒンジピン３にヒンジで固定される。
【００２１】
ヒンジピン３は、ロッド３０を備える。ロッド３０には、各脚部４のヒンジ部４Ａと、ロッド３０の両側に設けられ、ヒンジ部４Ａがヒンジピン３から滑り落ちるのを防止するようにロッド３０の寸法よりも大きい半径方向寸法を有する２つのブロックヘッド３１と、が回転可能に接続される。
【００２２】
クロスピース２は、図示しないビデオ／写真機器のための支持基部８を画定するように形成されており、ビデオ／写真機器とクロスピース２とを係合するための係合手段９を有する。
【００２３】
係合手段９は、当該技術分野において知られる方法の１つによって構築され得る。
【００２４】
三脚１の脚部４は、構造的および機能的に同一であるため、以下において一方のみを説明する。
【００２５】
三脚１の各脚部４は、地面または所望の支持面上の支持部４Ｂと反対側のヒンジ部４Ａとの間の長手方向軸Ｙに沿って延在し、その領域において、脚部４は、クロスピース２にヒンジで固定される。
【００２６】
図示しない形態において、三脚１の各脚部４は、その長さを変化するように入子式に伸縮可能である。
【００２７】
各脚部４は、脚部４が互いにほぼ平行に配置された図４および図５に示す閉じた移送状態Ｗと、脚部４がクロスピース２に対して離されて、所定の開口角度を有するように閉状態Ｗに対して傾斜している少なくとも１つの動作状態との間でクロスピース２に対して旋回可能である。
【００２８】
図示する形態において、各脚部４は、少なくとも、図１および図２に示す第１の動作状態Ｋと、脚部４がクロスピース２に対して離れた位置にあり、閉じた移送状態Ｗに対して、互いに異なる値を有する第１の開口角度αおよび第２の開口角度α１をそれぞれ有するように傾斜している図３に示す第２の動作状態Ｋ１と、に配置され得る。
【００２９】
各動作状態Ｋ，Ｋ１において、脚部４は、クロスピース２に対する回転についてブロックされており、クロスピース２に対する脚部４の開口角度αを変化させる方向に向けられた所望の動作状態Ｋに対して、脚部４の回転が防止される。
【００３０】
クロスピース２には、後述するように、脚部４と相互作用して脚部４を第１の動作状態Ｋおよび第２の動作状態Ｋ１にブロックするように意図された第１の位置決め要素２０および第２の位置決め要素２１が設けられる。
【００３１】
図示しない別の形態において、クロスピースには、三脚１の別の動作状態を画定する位置決め要素が異なる数だけ設けられてもよい。
【００３２】
第１の位置決め要素２０および第２の位置決め要素２１は、クロスピース２を中心としたヒンジ部４Ａの回転経路について互いに周方向に追従し、脚部４の異なる動作構成を画定する。
【００３３】
第１の位置決め要素２０および第２の位置決め要素２１は、脚部４がそれぞれ異なる開口角度を有するように、クロスピース２に対して脚部４の異なる動作状態Ｋ，Ｋ１をそれぞれ画定する。
【００３４】
第１の位置決め要素２０および第２の位置決め要素２１は、第１の動作状態Ｋおよび第２の動作状態Ｋ１においてそれぞれ脚部４に当接するように意図された当接面２０Ａ，２１Ａを備える。当接面２０Ａ，２１Ａは、後述するように、閉じた移送状態Ｗから離れる方向、すなわち図２および図３において矢印Ｆ２が示す方向への脚部４の回転を防止するように形成される。
【００３５】
各脚部４は、脚部４がクロスピース２に対して旋回可能であるようにヒンジ部４Ａを介してヒンジピン３に連結された第１の脚部部分４１と、第１の脚部部分４１に平行であり、第１の脚部部分４１に接続された第２の脚部部分４２と、を備える。
【００３６】
第２の脚部部分４２の端部は、脚部４の支持部４Ｂを画定する。
【００３７】
図示する形態において、第２の脚部部分４２および第１の脚部部分４１は、同軸であるが、図示しない別の形態において平行で非同軸であってもよい。
【００３８】
第２の脚部部分４２は、後述するように、長手方向軸Ｙに沿って、第１の脚部部分４１に対して滑動可能であり、これにより、第２の脚部部分４２を第１の脚部部分４１に対して移動させて、脚部４をクロスピース２に固定またはクロスピース２から解放することができる。
【００３９】
また、第２の脚部部分４２は、後述するように、長手方向軸Ｙに沿って、第１の脚部部分４１に対して滑動可能であり、これにより、第２の脚部部分４２を第１の脚部部分４１から離れるようにまたは第１の脚部部分４１に向かうように移動させて、脚部４をクロスピース２に固定またはクロスピース２から解放することができる。
【００４０】
第２の脚部部分４２は、脚部４をクロスピース２に固定またはクロスピース２から解放するための作動装置として機能する。
【００４１】
有利には、第２の脚部部分４２の管状部材４０は、脚部４をクロスピース２に固定またはクロスピース２から解放ための作動装置として機能する。
【００４２】
第２の脚部部分４２は、長手方向軸Ｙに沿って、第１の脚部部分４１に対して、矢印Ｆの両方向に滑動可能である。これにより、第２の脚部部分４２を第１の脚部部分４１から離れるように移動させ、脚部４をクロスピース２から解放して、クロスピースに対して回転方向矢印Ｆ１の両方向に自由に回転することができる図示しない延長された解放状態と、第２の脚部部分４２が第１の脚部部分４１に当接し、脚部４がクロスピース２に固定されてそれに対して自由に回転することができない図２に示す収縮された係合状態Ｊとの間で移動させることができる。
【００４３】
第１の脚部部分４１は、ヒンジピン３によってヒンジで固定されているため、クロスピース２に対して並進移動することはできない。
【００４４】
第２の脚部部分４２は、実質的に円筒状で中空であり、第１の脚部部分４１に近い近位端部４３と、反対側の遠位端部４４との間に延在する管状部材４０を備える。
【００４５】
第２の脚部部分４２の遠位端部４４には、地面上での脚部４の支持部４Ｂを画定するキャップ４５または同様の被覆要素が設けられる。
【００４６】
キャップ４３は、ゴムまたは別のスリップ防止材料から形成される。
【００４７】
第２の脚部部分４２の近位端部４３には、後述するように、第１の脚部部分４１に対する第２の脚部部分４２の位置を調整するための調整装置６が設けられる。
【００４８】
調整装置６は、長手方向軸Ｙに沿った第１の脚部部分４１に対する第２の脚部部分４２の並進移動を調整するように意図されている。
【００４９】
調整装置６は、第２の脚部部分４２に固定されており、長手方向軸Ｙに沿った移動について、固定的に接合される。
【００５０】
したがって、調整装置６は、第１の脚部部分４１に対して第２の脚部部分４２に固定的に接合されるように、長手方向軸Ｙに沿って移動可能である。
【００５１】
調整装置６は、管状部材４０に挿入可能な接続部材６１と、接続部材６１と一体化されており、管状部材４０に対して外側に配置されるように意図された円筒状のカラー６２と、を備える。
【００５２】
カラー６２は、受容空洞１８を画定するように中空であり、後述するように、第２の脚部部分４２を移動させるユーザによって把持されることを意図された外壁６２Ａによって区切られている。カラー６２は、管状部材４０と同軸である。
【００５３】
接続部材６１とカラー６２との間には、使用中に第２の脚部部分４２の管状部材４０と第１の脚部部分４１との間に介在する接続部６６が設けられる。
【００５４】
カラー６２は、第１の脚部部分４１に向けられた自由縁部６５をさらに備える。縁部６５は、後述するように、第２の脚部部分４２上における第１の脚部部分４１のための当接要素を画定することができる。
【００５５】
第２の脚部部分４２は、クロスピース２に対して脚部４をブロックするためのブロック装置７をさらに備える。
【００５６】
ブロック装置７は、第２の脚部部分４２に固定的に接合される。
【００５７】
ブロック装置７は、長手方向軸Ｙに沿ったその並進移動について、第２の脚部部分４２に固定的に接合される。
【００５８】
したがって、ブロック装置７は、第１の脚部部分４１に対して第２の脚部部分４２に固定的に接合されるように、長手方向軸Ｙに沿って移動可能である。
【００５９】
したがって、第２の脚部部分４２、調整装置６およびブロック装置７の３つは、長手方向軸Ｙに沿った並進移動について、固定的に接合されており、第２の脚部部分４２を長手方向軸Ｙに沿って並進移動させると、調整装置６およびブロック装置７も、同時に移動する。
【００６０】
したがって、後述するように、第１の脚部部分４１から離れるように第２の脚部部分４２を移動させることで、長手方向軸Ｙに沿って、調整装置６およびブロック装置７も第１の脚部部分４１に対して並進移動される。
【００６１】
ブロック装置７は、ブロックピン７１を備える。ブロックピン７１は、調整装置６の接続部材６１に固定される第１の部分７２と、クロスピース２と相互作用するように意図された自由端部７３との間で、脚部４の長手方向軸Ｙに沿って延在し、クロスピース２に対して脚部をブロックする。
【００６２】
自由端部７３は、後述するように、第１の動作状態Ｋにおいてクロスピース２の脚部４に対するブロック要素として機能する。
【００６３】
ブロック装置７は、ブロックピン７１と同軸であるばね７４をさらに備える。ばね７４は、後述するようにクロスピース２に当接するようにブロックピン７を押し付けるように意図されている。
【００６４】
本発明の支持体の別の形態において、ブロックピン７をクロスピース２に向けて押すように意図された、ばね以外の押圧装置が設けられてもよい。
【００６５】
ばね７４は、第２の脚部部分４２を第１の脚部部分４１に押し付けるように、すなわち脚部４を収縮された係合状態Ｊに移動させるように、予圧されている。
【００６６】
ばね７４の互いに反対側の第１の端部７５および第２の端部７６は、後述するように、において、ブロックピン７１および第１の脚部部分４１にそれぞれ固定される。
【００６７】
第１の脚部部分４１は、クロスピース２に対して旋回可能であり、クロスピース２自体に対する並進移動について固定される。
【００６８】
第１の脚部部分４１は、脚部４の長手方向軸Ｙに沿って延在するスリーブ１１を備える。スリーブ１１は、ブロックピン７１が滑動可能に受容される長手方向空洞１３を画定するように、中空である。
【００６９】
スリーブ１１は、脚部４の長手方向軸Ｙに沿って空洞内で滑動可能であるように、カラー６２の受容空洞１８内に滑動可能に挿入される。
【００７０】
第１の脚部部分４１は、スリーブ１１と同軸であるフォーク状部材１５をさらに備える。フォーク状部材１５は、スリーブ１１からクロスピース２に向けて延在し、スリーブ１１に固定されるフォーク状部材１７の基部を有する。フォーク状部材１７の基部から、互いに対向する２つのアーム部１６が延在する。２つのアーム部１６は、ヒンジ端部１６Ａをそれぞれ介して、ヒンジピン３０にヒンジで固定される。
【００７１】
ヒンジ端部１６Ａには、クロスピース２に対して脚部４が旋回可能であるように、ヒンジピン３０を滑動可能に受容するように意図された図示しない孔が設けられる。
【００７２】
フォーク状部材１５のアーム部１６は、図２および図３に示す接続壁１６Ｂを介して、互いに接続される。接続壁１６Ｂは、後述するように、第２の動作状態Ｋ１においてクロスピース２と係合して、脚部４をこの状態にブロックするように構成される。
【００７３】
有利には、フォーク状部材１５は、スリーブ１１と一体化される。
【００７４】
有利には、第１の脚部部分４１は、フォーク状部材１５と、スリーブ１１と、その他の構成要素を備える単一の部材から構成される。
【００７５】
フォーク状部材１５は、長手方向空洞１３と同軸である受容空洞１４を画定する。受容空洞１４は、長手方向空洞１３よりも大きい半径方向範囲を有し、ブロックピン７１およびばね７４を受容するように意図されている。
【００７６】
ばね７４の第２の端部７６は、フォーク状部材１７の基部に固定される。
【００７７】
フォーク状部材１７の基部は、そこに挿入されないように受容空洞１８よりも大きい半径方向範囲を有し、カラー６２に対して外側に配置されるように意図されている。
【００７８】
フォーク状部材１７の基部の縁部１９は、脚部４の収縮状態Ｊにおいて、第１の脚部部分４１と第２の脚部部分４２との間の当接要素として機能するように意図されている。
【００７９】
脚部が収縮状態Ｊにあると、カラー６２の自由縁部６５は、フォーク状部材１７の基部に当接する。脚部４が延長状態にあると、フォーク状部材１７の基部は、カラー６２の自由縁部６５から離間している。
【００８０】
上述したように、各脚部４は、便宜上、脚部４が開口角度α’＝０°を有するように配置された位置とした閉じた移送状態Ｗと、脚部４がクロスピース２に対して離された位置にあり、互いに異なる値を有する第１の開口角度αおよび第２の開口角度α１を有するように、閉じた移送状態Ｗにおける位置に対してそれぞれ傾斜している２つの動作状態Ｋ，Ｋ１と、に配置され得る。
【００８１】
各中間動作状態Ｋ，Ｋ１において、脚部４は、クロスピース２に対する回転についてブロックされている。閉状態Ｗへの回転、すなわち矢印Ｆ３の方向への回転は、クロスピース１と係合する機器の重さによって防止され、閉状態Ｗから離れる方向への回転は、後述するように防止される。
【００８２】
第１の動作状態Ｋにおいて、脚部４は、第１の位置決め要素２０の当接面２０Ａに当接するブロックピン７１によって、この状態でブロックされる。
【００８３】
第２の動作状態Ｋ１において、アーム部１６の間の接続壁１６Ｂが第２の位置決め要素２１の当接面２１Ａに当接するため、脚部４は、フォーク状部材１５によってこの状態でブロックされる。
【００８４】
ブロックピン７１および接続壁１６Ｂは、それぞれ第１の動作状態Ｋおよび第２の動作状態Ｋ１において、脚部４に対するブロック要素として機能する。
【００８５】
ブロックピン７１および接続壁１６Ｂは、クロスピース２に設けられた第１の位置決め要素２０および第２の位置決め要素２１と協働して、脚部４を第１の動作状態Ｋおよび第２の動作状態Ｋ１でそれぞれブロックする。
【００８６】
したがって、三脚１は、三脚自体および／またはそれに係合する機器の重さによって、所定の動作状態からいずれかの動作状態Ｋ，Ｋ１に移動することが防止される。
【００８７】
使用中に、ユーザが閉じた移送状態Ｗから第１の動作状態Ｋに三脚を配置したい場合、脚部４を把持してそれらを回転させることができる。
【００８８】
この回転中に、ブロックピン７１は、ばね７４によって、クロスピース２に滑動可能に押し付けられる。
【００８９】
ユーザは、第１の動作状態Ｋに達するまで、すなわち、ばね７４の押し付け動作の下で、ブロックピン７１が第１の当接要素２の第１の当接壁２０Ａに当接するまで、脚部４を回転させることができる。
【００９０】
第１の動作状態Ｋから閉状態Ｗに三脚１を移動させるには、ユーザは、この状態に達するまで脚部４を回転させる。
【００９１】
ユーザが支持体１を第２の動作状態Ｋ１に配置したい場合、ユーザは、第１の脚部部分４１すなわちクロスピース２から離れるように長手方向軸Ｙに沿って移動させて第２の脚部部分４２を把持する。
【００９２】
上述したように、第２の脚部部分４２、調整装置６およびブロック装置７が長手方向軸Ｙに沿った並進移動について固定的に接合されているため、第２の脚部部分４２を移動させることで、第１の脚部部分４１に対して調整装置６およびブロック装置７を移動させることができる。
【００９３】
ユーザは、例えば調整装置６および／または管状部材４０のカラー６２において、所望の位置で第２の脚部部分４２を把持することができ、第１の脚部部分４１から離れるように第２の脚部部分４２を押すことができる。
【００９４】
管状部材４０およびカラー６２は、管状の形状を有する。そのため、ユーザは、それらを容易に把持して、第１の脚部部分４１から離れるように第２の脚部部分４２を移動させるのに必要な圧力を加えることができる。
【００９５】
さらに、これにより、ユーザは、三脚を作動しやすくなる。
【００９６】
管状部材４０および／またはカラー６２は、三脚１の作動手段として機能して、第１の脚部部分４１から離れるように第２の脚部部分４２を移動させることができる。
【００９７】
管状部材４０および／またはカラー６２は、三脚１の円筒状の作動手段として機能して、第１の脚部部分４１から離れるように第２の脚部部分４２を移動させることができる。
【００９８】
この移動中に、カラー６２は、第１の脚部部分４１上で滑動し、カラー６２の自由縁部６５は、フォーク状部材１７の基部から離される。
【００９９】
この移動中に、ブロックピン７１は、第１の脚部部分４１のスリーブ１１の長手方向空洞１３内でクロスピース２から離れるように滑動する。
【０１００】
さらに、この移動によって、ばね７４自体の互いに反対側の第１の端部７５および第２の端部７６が共に移動するため、ばね７４の圧縮がもたらされる。
【０１０１】
このようにして、ブロックピン７１は、クロスピース２から離されて、第１の位置決め要素２０から解放される。
【０１０２】
ブロックピン７１と第１の位置決め要素２０との間の相互作用によってこの移動がもはや妨げられないので、ブロックピン７１が第１の位置決め要素２０から解放された後に、ユーザは、第２の動作状態Ｋ１に達するまで脚部４を回転させることができる。
【０１０３】
ブロックピン７１が第１の位置決め要素２０から係合解除されると、脚部４は、回転方向矢印Ｆ１の両方向、すなわち、閉じた移送状態Ｗに向かう方向および第２の動作状態Ｋ１に向かう方向に、クロスピース２に対して自由に回転することができる。
【０１０４】
ユーザは、アーム部１６の接続壁１６Ｂが第２の当接要素２１の第２の当接面２１Ａに当接するまで、引き続き脚部４を回転させる。
【０１０５】
第２の動作状態Ｋ１を超えて開くような脚部４の追加の回転は、接続壁１６Ｂおよび第２の当接要素２１の形状によって防止される。
【０１０６】
所望の動作状態に達すると、ばね７４は、第１の脚部部分４１に向けて第２の脚部部分４２を付勢して、所望の動作状態における三脚の位置が安定して維持される。
【０１０７】
ばね７４は、ブロックピン７１をクロスピースに向けて、すなわち調整装置６およびブロック装置７を第１の脚部部分４１に向けて付勢するように、予圧されている。
【０１０８】
脚部４を第２の動作状態Ｋ１から閉じた移送状態Ｗに向けて回転させるには、第１の動作状態Ｋまたは閉じた移送状態Ｗに達するまで、脚部４を回転させるだけで十分である。
【０１０９】
したがって、三脚を、特に容易に且つ迅速に閉じることができる。
【０１１０】
第１の動作状態Ｋにおいて、第１の当接壁２０Ａは、ブロックピン７１にほぼ平行に配置されており、共に長手方向軸Ｙにほぼ平行に配置されている。
【０１１１】
したがって、第１の当接壁２０Ａは、ブロックピン７１のための停止部を構成して、クロスピース２から係合解除されるように長手方向軸Ｙの方向におけるその移動が防止される。
【０１１２】
同様に、第２の動作状態Ｋ１において、第２の当接壁２１Ａは、接続壁１６Ｂにほぼ平行に配置されており、共に脚部４の長手方向軸Ｙにほぼ平行に配置されている。
【０１１３】
このようにして、第１の動作状態Ｋまたは第２の動作状態Ｋ１からの脚部４の意図しない動きが防止される。
【０１１４】
したがって、本発明は、上述した技術的問題を克服しながら、複数の利点を提供する。
【０１１５】
本発明によって、脚部の角度を調整するには、ユーザの手が最も容易に接触可能な部分を把持するだけで十分であるので、簡単且つ迅速に位置決めすることおよび閉じることができる三脚が得られる。
【０１１６】
さらに、安定した位置決めによって、三脚が得られる。
【０１１７】
本発明の三脚は、軸方向の作動、すなわち支持脚部自体を作動させるために脚部の長手方向軸Ｙに沿った作動を提供する。したがって、支持脚部を作動させるための長手方向軸Ｙに対する横方向の動きが回避される。これにより、三脚の安定性および信頼性をさらに高めることができる。
【０１１８】
これにより、より小さい寸法を有する脚部や三脚の場合でも、脚部すなわち三脚の作動をより正確に行うことができる。
【０１１９】
さらに、三脚には、第１の脚部部分から離れるように第２の脚部部分を移動させるための円筒状の作動手段が設けられているため、脚部の作動は特に便利で容易である。
【０１２０】
実際、ユーザは、第２の脚部部分を所望の位置で把持して、必要とされる力を加えることができる。
【０１２１】
さらに、本発明の三脚の脚部は、特に小さい寸法を有する三脚における作動を困難にするレバーおよび／またはボタンを有していない。
【０１２２】
さらに、本発明の三脚の脚部は、クロスピースに対して脚部の傾斜角度を調整するためのレバーおよび／またはボタンおよび／または作動部材を有していない。これにより、より小型で、他の作動機構を有する三脚と比較して軽量で、ビデオ／写真撮影カメラのベルトやアクセサリが三脚と絡まる可能性を低減することができる三脚を製造することができる。
【０１２３】
さらに、三脚が落下した際に作動機構が破損する可能性も低減される。
【図１】
2021532410.tif 000003
【図２】
2021532410.tif 000004
【図３】
2021532410.tif 000005
【図３Ａ】
2021532410.tif 000006
【図４】
2021532410.tif 000007
【図５】
2021532410.tif 000008
【国際調査報告】
2021532410.tif 000009
2021532410.tif 000010